(57)【要約】      （修正有）【課題】化学物質を消耗するという従来の電池の欠点を打開する電池を提供する。【解決手段】電池を構成する二個の電極の中、一個の電極中に磁石を封入し、電解液中の電解質のイオンに対し磁力を作用させる。電解質のイオンが常磁性物質であれば、電極の中に封入された磁石からの磁力を受けて、この電極に吸引される。常磁性物質であるイオンはこの磁石を封入された電極に吸引されて集中存在しているために、この電極と他方の電極との間に電位が発生する。この二電極間を電線にて接続すると電流が流れる。この電流は、磁石の磁力エネルギーを電流発生のエネルギー源とするので、充電は必要でなく、持続して流れる。本電池は、発電機能を持つ。【選択図】図１
2005011786.tif 000002
【特許請求の範囲】
【請求項１】
電池に磁石を使用し、電解液中に自由分散している、陽イオンおよび陰イオンの磁性に対し、磁力による吸引力を作用させることにより、電極にイオンを吸引集中させることにより電位を発生させ、これにより電流を得る電池。
【発明の詳細な説明】
【０００１】
【本発明の属する技術分野】
化学物質を消耗せず且つ充電を必要とせず無寿命の電池であるので、電気自動車用電源に使用できる。本発明を適用すれば自然環境を汚染しないので、今後、商用電力の電源として使用できる。
【０００２】
【従来の電池技術】
従来の電池は陰極側物質の化学変化、および陽極側物質の化学変化によるこれらの化学エネルギーを利用したものである。電池を使用するにしたがい、陽極側物質および陰極側物質は化学変化を開始する。これらの化学変化の終了時は、電流を発生させるための化学物質が消耗されているので、電池は寿命終了となり使用続行できないので廃棄されるという欠点があった。
【０００３】
【発明が解決しようとする課題】
従来技術による電池においては、使用するに従い、電流を発生させるために化学変化をするのでので、この化学変化をし尽くし、化学物質の消耗後は電池は寿命終了となり使用続行できないので廃棄される。すなわち、化学物質が消耗され、化学変化の終了により電池の寿命終了となるという欠点を有する従来の技術による電池の欠点の解決を図る。
すなわち電流を得るためのエネルギー源として磁石の磁気エネルギー即ち、磁力を電解液中のイオンに作用させ、イオンを集中させることにより電位を発生させ電流を得る。磁石の磁気エネルギーという無限のエネルギーにより持続的に電流を得ることができ、、従来の電池技術において発生する電池の充電の必要性および寿命問題、すなわち化学変化による化学物質の消耗という欠点を解決することを目的とする。
【０００４】
【発明の実施の形態】
次に本発明の実施の形態について例をあげて説明する。
第１例
図１  に本発明による電池を示す。
（１）電糟１に、電極２、電極３，を設置する。電極２の中に磁石４を封入する。
（２）電糟１に電解液５を注入する。  電解液５は水に電解質として硫酸    Ｈ２ＳＯ４を溶解したものである。
（３）電解液５の中に次のイオンが存在する。これらを
硫酸イオンＳＯ４２−：７
水素イオンＨ＋：８
にて示す。
（４）電極２と電極３との間を接続する電線を６にて示す。
（５）電極２側から電極３側に流れる電子をｅ−：９にて示す。
本発明による電池の電解質の一例として硫酸Ｈ２ＳＯ４を使用し水に溶解させる。この場合電解液中では次のイオンが存在する。水素イオンＨ＋：８および、硫酸イオンＳＯ４２−：７である。硫酸イオンＳＯ４２−：７の磁性は常磁性であり、水素イオンＨ＋：８は磁性を有しない。電極２内の磁石４からのの磁力による吸引力を受けると、硫酸イオンＳＯ４２−：７は吸引されて電極２に集中存在する。水素イオンＨ＋：８は電極２内の磁石からの磁力による吸引力を受けないので、自由分散している。従って電極３の近傍は自由分散している水素イオン；Ｈ＋：８が存在している。ここで電極２と電極３の間を電線６にて接続すると、電極２を陰極とし、電極３を陽極とする電流が流れる。
この電流が流れる理由は次のとおりである。電極２側に硫酸イオンＳＯ４２−：７が磁力の影響を受けて吸引されて集中存在する。電極▲３▼近傍に自由分散している水素イオン；Ｈ＋が電極３に付着していると、その結果として電極２と電極３との間に電位が発生する。
電位の発生により、電子ｅ−：９が電極２に移り、電線６を経て電極３へ流れ電極３側に付着している水素イオンＨ＋：８に電子ｅ−：９をあたえる。これらを反応式ａ及び反応式ｂに示す。
反応式ａ（電極２側）；４ＯＨ−→２Ｈ２Ｏ＋Ｏ２＋４ｅ−
（ＳＯ４２−は放電せず電離している水のＯＨ−から電子を放電する）
反応式ｂ（電極３側）；４ｅ−＋４Ｈ＋→２Ｈ２
この後、引続き、電極２内の磁石：４からの磁力による吸引力により硫酸イオンＳＯ４２−：８が電極２側に吸引されることが連続することにより、上記の反応式ａ、反応式ｂに示す反応が連続し、これにより電流が連続して流れる。
上記の反応により消耗される物質は電極２側にて酸素Ｏ２、電極３側にて水素Ｈ２であるが。これらの物質は溶媒である水Ｈ２Ｏを構成する物質である。電解液水位が低下した量に対応して、同量の水を補給する。水は地球圏内を循環するものであり、資源の消耗をきたさない。
【０００５】
第２例
図２  に本発明による電池を示す。
（１）電糟１０に、電極１１、電極１２を設置する。電極１１の中に磁石１３を封入する。
（２）電極１１と電極１２の間に、イオンの通過を制限する目的で陰イオン交換樹脂膜１９を設置する。
（３）電糟１０に電解液１４を注入する。  電解液１４は水に電解質として  水酸化カリウム：ＫＯＨ  を溶解したものである。
（４）電解液１４中に次のイオンが存在する。これらを
水酸化物イオン：ＯＨ−：１６
カリウムイオン：Ｋ＋：１７
にて示す。
（５）電極１１と電極１２との間を接続する電線を１５にて示す。
（６）電極１１側から電極１２側に流れる電子をｅ−：１８にて示す。
本発明の実施の第２例として、電池の電解質として水酸化カリウム：ＫＯＨを使用し水に溶解させる。この場合電解液中では次のイオンが存在する。これらは、水酸化物イオンＯＨ−：１６、およびカリウムイオンＫ＋：１７である。
これらの両イオンの磁性はともに常磁性であり、両イオンはともに電極１１内の磁石１３からのの磁力による吸引力を受けて、吸引されて電極１１に集中存在しようとするが、陰イオン交換樹脂膜１９を水酸化物イオン：ＯＨ−：１６のみが通過し、カリウムイオンＫ＋：１７は、陰イオン交換樹脂膜１９を通過できない。この結果、電極１１に水酸化物イオン：ＯＨ−：１６のみが集中存在する。ここで電極１１と電極１２との間を電線１５にて接続すると、電極１１を陰極とし、電極１２を陽極とする電流が流れる。
この電流が流れる理由は次のとおりである。  電極１１側に水酸化物イオンＯＨ−：１６が磁力の影響を受けて吸引されて集中存在する。電極１２近傍に自由分散しているカリウムイオンＫ＋：１７が電極１２に付着していると、その結果として電極１１と電極１２との間に電位が発生する。
電位の発生により、電子ｅ−１８が電極１１に移り、電線１５を経て電極１２へ流れ電極１２側に付着しているカリウムイオンＫ＋：１７に電子ｅ−：１８をあたえる。これらを反応式ｃ及び半応式ｄに示す。
2005011786.tif 000003
反応式ｄ（電極１２側）に示すが、カリウムイオンＫ＋：１７は電子ｅ−：１８を受けると、カリウムＫに還元されるが水Ｈ２Ｏと反応し水酸化物イオンＯＨ−：１６とカリウムイオンＫ＋：１７を作り出す。この事は電解質“水酸化カリウムＫＯＨ”を消耗しない事を意味する。この後、引続き、電極１１内の磁石１３からの磁力による吸引力により上記の反応式ｃ、反応式ｄに示す反応が連続し、これにより電流が連続して流れる。
上記の反応により消耗される物質は電極１１側にて酸素Ｏ２、電極１２側にて水素Ｈ２であるが。これらの物質は溶媒である水Ｈ２Ｏを構成する物質である。電解液水位が低下した量に対応して、同量の水を補給する。水は地球圏内を循環するものであり、資源の消耗をきたさない。
【０００６】
【本発明の効果】
本発明は下記の効果を有する。
（１）化学物質の反応による化学物質の変化、消耗がなく、繰り返し反応し、使用できる。故に、従来の技術による電池における化学物質の反応による変化、消耗を原因とする電池の寿命終了がない。
（２）半永久的に使用できる。
（３）電流を得るためのエネルギー源として磁石の不変の磁力を利用するので、充電を必要としない。充電を必要とする従来技術による二次電池（鉛蓄電池など）に比し有利である。
（４）発電機能を有する。
【図１】
2005011786.tif 000004
【図２】
2005011786.tif 000005
【手続補正書】
【提出日】平成15年11月12日(2003.11.12)
【手続補正１】
【補正対象書類名】明細書
【補正対象項目名】図面の簡単な説明
【補正方法】変更
【補正の内容】
【図面の簡単な説明】
【図１】本発明による電池の正面図である。
【図２】本発明による電池の正面図である。
【符号の説明】
１は電糟
２および３は電極
４は磁石、２の中に封入されている。
５は電解液、水に電解質として硫酸Ｈ２ＳＯ４を溶解したもの。
６は電線。２と３との間を接続。
７は硫酸イオンＳＯ４２−
８は水素イオンＨ＋
９は電子ｅ−
１０は電糟
１１および１２は電極
１３は磁石、１１の中に封入されている。
１４は電解液、水に電解質として水酸化カリウムＫＯＨを溶解したもの。
１５は電線。１１と１２との間を接続。
１６は水酸化物イオンＯＨ−
１７はカリウムイオンＫ＋
１８は電子ｅ−
１９は陰イオン交換樹脂膜、




【手続補正書】
【提出日】平成16年3月23日(2004.3.23)
【手続補正２】
【補正対象書類名】明細書
【補正対象項目名】図面の簡単な説明
【補正方法】変更
【補正の内容】
【図面の簡単な説明】
【図１】本発明による電池の正面図である。
【図２】本発明による電池の正面図である。
【符号の説明】
１は電糟
２および３は電極
４は磁石、２の中に封入されている。
５は電解液、水に電解質として硫酸Ｈ２ＳＯ４を溶解したもの。
６は電線。２と３との間を接続。
７は硫酸イオンＳＯ４２−
８は水素イオンＨ＋
９は電子ｅ−
１０は電糟
１１および１２は電極
１３は磁石、１１の中に封入されている。
１４は電解液、水に電解質として水酸化カリウムＫＯＨを溶解したもの。
１５は電線。１１と１２との間を接続。
１６は水酸化物イオンＯＨ−
１７はカリウムイオンＫ＋
１８は電子ｅ−
１９は陰イオン交換樹脂膜、